(57)【特許請求の範囲】
【請求項１】
複数ページからなるジョブを、１ページ目から順に所定の部数ずつプリントしている時に、少なくとも１部数のプリント動作を中断するプリント動作中断手段と、
前記プリント動作中断手段に基づいて中断されたプリント動作の未プリント分のデータを該当する端末に送信する送信手段と、
を備えていることを特徴とするプリンタ装置。
【請求項２】
プリント前のプリント動作の破棄あるいはプリント動作開始後のプリント動作の中断を指示する指示手段と、
前記指示手段により破棄されあるいは中断されたプリント動作の未プリント分のデータを該当する端末に送信する送信手段と、
を備えていることを特徴とするプリンタ装置。
【請求項３】
前記指示手段は操作パネル等の入力手段である請求項２に記載のプリンタ装置。
【請求項４】
所定部数のプリントされた用紙を仕分けして排出する複数の用紙排出トレイと、
各トレイ毎に、排出されたプリント用紙がトレイから取り出されたか否かを検出する検出手段と、
を備え、
前記送信手段は、前記プリント動作中断手段に基づいてプリント動作が中断された時に、前記検出手段によりプリント用紙の取り出しが検出されたトレイに対応して予め設定されている所定の端末に、前記未プリントのデータを送信するように構成されている請求項１に記載のプリンタ装置。
【請求項５】
前記端末がパーソナルコンピュータである請求項１ないし４のいずれかに記載のプリンタ装置。
【請求項６】
前記送信手段は、所定端末への未プリントのデータを電子メールを利用して送信する請求項５に記載のプリンタ装置。
【請求項７】
前記端末がファクシミリ装置である請求項１ないし４のいずれかに記載のプリンタ装置。
【発明の詳細な説明】
【０００１】
【発明の属する技術分野】
この発明は、例えば電子会議システム用の画像形成システム等で使用されるプリンタ装置に関する。
【０００２】
【従来の技術】
画像形成システムとして、ユーザの端末例えばパーソナルコンピュータを、複写機能等を備えたプリンタ装置にネットワークを介して接続することにより、プリンタ装置の複写機能を使用して画像を複写できるとともに、ユーザからプリンタ装置にデータを送ってプリントアウトできるようにしたものが知られている。
【０００３】
ところで、前記画像形成システムにおいて、用紙へプリントするために、複写機能を用いてプリント装置へデータを取り込んだり、他のユーザーの端末からプリント装置へデータを送信してもらった後、プリント動作の開始前にあるいはプリント動作の途中で、用紙へのプリントを中止して自己の端末へデータを転送したい場合がある。
【０００４】
例えば、電子会議参加者にそれぞれ割り当てられたパーソナルコンピュータ等の端末と、会議場で使用する電子黒板等を、ネットワークにてプリンタ装置に接続し、電子黒板に記載された議事録等のデータをプリンタ装置で必要部数プリントし、プリントされた文書を会議参加者に配付できるようにした電子会議システム用の画像形成システムの場合である。
【０００５】
つまり、このような電子会議システム用の画像形成システムにおいて、会議の途中で退席する場合、退席者はそれまでの議事録の内容をプリントすることにより知ることはできるが、退席後の議事録については、その場でプリント物を入手できないことから、退席後の議事録のデータを自己の端末に送信してもらいたい場合がある。
【０００６】
【発明が解決しようとする課題】
しかし、従来のプリンタ装置では、未プリントのデータを端末へ転送することはできなかった。このため、用紙へのプリントを中止して自己の端末へデータを転送したい場合であっても、全データをプリントアウトしなければならなかった。従って、前述の電子会議システム用の画像形成システムにおいて、電子会議を途中で退席する場合にも、退席後の議事録のデータをプリンタから退席者の端末に自動的に送信することができなかったため、退席者は会議主催者側に残りの議事録を要求しなければならなかった。
【０００７】
なお、例えば特開平９−４６３７０号公報には、電子黒板と会議参加者の複数の端末とをネットワークに接続し、電子黒板に記載されたデータを、会議終了に伴って担当者が電子メールで前記各端末に配信手続きを行う技術が開示されている。しかし、この技術では、会議出席者の全員に議事録がメール配信され、途中退席者に対して退席後のみの議事録を配信することができなかった。
【０００８】
また、特開２０００−２３１３０号公報では、電子会議の退席時間中の議事録を記録し、退席者の端末からのアクセス要求に応じて退席時間中の議事録を端末に配信する技術が開示されている。しかしこの技術では、配信のためには退席者の端末からのアクセス要求が必要であり、退席後の議事録が自動配信されるものではなかった。
【０００９】
この発明は、プリント動作の開始前やプリント動作の途中での未プリントデータを所定の端末に自動配信できるプリンタ装置を提供することを課題とする。
【００１０】
【課題を解決するための手段】
上記課題は、複数ページからなるジョブを、１ページ目から順に所定の部数ずつプリントしている時に、少なくとも１部数のプリント動作を中断するプリント動作中断手段と、前記プリント動作中断手段に基づいて中断されたプリント動作の未プリント分のデータを該当する端末に送信する送信手段と、を備えていることを特徴とするプリンタ装置によって解決される。
【００１１】
このプリンタ装置によれば、複数ページからなるジョブを１ページ目から順次所定部数プリントしているときに、プリント動作が中断されると、中断されたプリント動作の未プリント分のデータが該当する端末に自動的に送信される。このため、プリント動作の途中でプリント動作を中断して、プリント予定のデータを端末側で入手することができる。
【００１２】
従って、このプリンタ装置を例えば電子会議システム用の画像形成システムに用いた場合には、電子黒板に記載されたデータが１ページ目から順次、所定部数プリントされるので、退席しようとする会議参加者は、退席までの議事録をプリント物から認識できる。一方、会議を途中退席した場合には、その途中退席者数の部数だけプリント動作が中断されるが、未プリント分のデータは途中退席者の端末に送信されるので、退席者は、退席時点以降のデータを、会議後に改めて会議主催者側に要求しなくても入手することができる、といった動作が可能となる。
【００１３】
また、前記課題は、プリント前のプリント動作の破棄あるいはプリント動作開始後のプリント動作の中断を指示する指示手段と、前記指示手段により破棄されあるいは中断されたプリント動作の未プリント分のデータを該当する端末に送信する送信手段と、を備えていることを特徴とするプリンタ装置によっても解決される。
【００１４】
このプリンタ装置では、ジョブのプリント前にプリント動作の破棄が指示されると、破棄されたプリント動作の未プリント分が所定の端末に自動送信されるので、プリント動作予定のデータを端末側で受け取ることができる。さらに、ジョブのプリント中にプリント動作の中断が指示されると、中断されたプリント動作の未プリント分が所定の端末に送信され、プリント動作中断以降のデータを端末側で受け取ることができる。
【００１５】
このプリンタ装置において、前記指示手段は操作パネル等の入力手段としても良い。この場合には、前記プリント動作の中断や破棄等の指示操作を操作パネル上から簡単に行える。
【００１６】
また、請求項１のプリンタ装置においては、所定部数のプリントされた用紙を仕分けして排出する複数の用紙排出トレイと、各トレイ毎に、排出されたプリント用紙がトレイから取り出されたか否かを検出する検出手段と、を備え、前記送信手段は、前記指示手段に基づいてプリント動作が中断された時に、前記検出手段によりプリント用紙の取り出しが検出されたトレイに対応して予め設定されている所定の端末に、前記未プリントのデータを送信するように構成されていても良い。
【００１７】
このプリンタが、例えば電子会議システム用の画像形成システムに用いられた場合には、電子会議参加者が自分に割り当てられている用紙排出トレイに逐次排出されるプリントされた用紙を、会議途中に取り出して持ち帰ることができる一方、電子会議途中で前記トレイからプリントされた用紙が取り出された場合には、そのトレイからのプリント用紙の取り出しが検知されることにより、そのトレイに対応する会議出席者が退席者として特定され、その退席者の端末への未プリント分の配信が自動的に行われる、といった動作が可能となる。
【００１８】
また、前記端末はパーソナルコンピュータであっても良い。この場合には、前記未プリント分のデータがパーソナルコンピュータに送信されるので、プリント動作の破棄や中断を指示した者や電子会議の退席者は、パーソナルコンピュータ上で未プリントのデータの保存や加工を行える。
【００１９】
この場合、端末への未プリントのデータの送信を電子メールを利用して行っても良い。この場合には、未プリント分のデータの送信を低費用で簡易に行える。
【００２０】
また、前記端末をファクシミリ装置で構成してもよい。この場合には、送信された未プリント分のデータがファクシミリ装置でそのまま出力される。
【００２１】
【発明の実施の形態】
以下、この発明の実施形態を図面に基づいて説明する。
【００２２】
図１は、この発明の一実施形態に係るプリンタ装置を備えた電子会議システムを示す構成図である。
【００２３】
図１において、電子会議システムは、複写機能やファクシミリ機能を有する多機能形のプリンタ装置１と、電子黒板２と、複数の端末ＰＣ（ＰＣ１〜ＰＣｎ）とを備えており、プリンタ装置１、電子黒板２および端末ＰＣ（ＰＣ１〜ＰＣｎ）は、ネットワークＮＷに接続されている。
【００２４】
前記プリンタ装置１は、本体１２と、この本体１２の下部に配置された自動給紙部１３と、本体１２の上部に配置された自動原稿搬送り装置（ＡＤＦという）３と、本体１２の側部に配置されたソータ９とを備えている。
【００２５】
前記ＡＤＦ３は、原稿セット用トレイ３ａに置かれた原稿を自動的に１枚ずつ本体１２の上部のプラテンガラス（図示せず）上に供給するものである。
【００２６】
前記自動給紙部１３は、複数段例えば５段の給紙カセット４，５，６，７，８を有しており、これらの給紙カセット４〜８のいずれか一つから本体１２内へ用紙の供給が行われる。
【００２７】
前記ソータ９は、通常の用紙排出用トレイ１０の他に、ジョブの１ページ目からプリントされた用紙を１部ずつ分けて排出するトレイとしての複数のビン１１を備えている。これらのビン１１は、それぞれ会議出席者に割り当てられている。また、各ビン１１には、排出されたプリント用紙がビン１１から取り出されたのを検出する検出センサ１４が設けられている。この検出センサ１４は、機械的ないしは光学的なもの等、任意の形態のものを採用可能である。
【００２８】
前記本体１２の上部の正面には、図２に示すように、操作パネル２１が設けられている。
【００２９】
この操作パネル２１上には、ＬＣＤなどからなる表示部２２、スタートボタン２３、テンキー部２４、コピーモード設定キー２５およびコピー使用ユーザー名（ＩＤ）入力キー２６、プリントジョブを破棄するための破棄キー２７、プリント動作を中断させるための中断キー２８等が設けられている。
【００３０】
コピーモード設定キー２５はプリンタ装置１を複写機として使用する場合に、コピーモードを設定するためのものである。また、破棄キー２７は、プリント前のプリント動作の破棄を指示するためのものであり、中断キー２８は、プリント動作を開始した後にプリント動作の中断を指示するためのものである。
【００３１】
前記電子黒板２は、板面に記載されたデータを読み取って、そのデータをプリンタ装置１に送信可能となされている。
【００３２】
前記端末ＰＣ１〜ＰＣｎは、例えばパーソナルコンピュータ（パソコンともいう）からなり、会議参加者にそれぞれ割り当てられている。
【００３３】
図３は、上記プリンタ装置１の電気的構成を示すブロック図である。
【００３４】
図３において、このプリンタ装置１は、ＣＰＵ３１と、ＣＰＵ３１が実行するプログラムが格納されたＲＯＭ３２と、データの読み書き等に供されるワークエリアとしてのＲＡＭ３３とを備えている。
【００３５】
ＣＰＵ３１は、プリンタ装置１の全体を統括的に制御する他、所定の場合にはプリント動作を中断させるプリント動作中断手段として機能するとともに、未プリント分のデータを所定の端末ＰＣ１〜ＰＣｎに送信するようにプリンタ装置１を制御する。つまり、複数ページからなるジョブを１ページ目から順に、会議出席者数（端末ＰＣ１〜ＰＣｎの登録数）に対応する所定の部数ずつプリントしている時に、会議退席者が対応するビン１１からプリント用紙を取り出すと、これが前記検知センサ１４により検出される。すると、そのビン１１に対応する用紙をプリントする動作が中断される。
【００３６】
例えば所定部数が５の場合、ジョブの１ページ目を５部、２ページ目を５部、３ページ目を５部・・・とプリントを行うプリント継続状態にあるときに、会議参加者の一人が会議を退席するため、それまでにプリントされた用紙をプリンタ装置１の退席者と対応付けられたビン１１から取り出して持ち帰ると、退席以降のページについては、１部のプリント動作が中断されて４部ずつプリントされる。そして、退席以降のページのデータが退席者の端末に送信される。
【００３７】
前記ＣＰＵ３１には、バス３０を介して入力部３４、前記表示部２２、記憶部３５、プリント部３６、送受信部３７等が接続されている。
【００３８】
前記入力部３４は、前記操作パネル２１における各種のキー、前記ビン１１における検知センサ１４等から構成されている。
【００３９】
前記記憶部３５は、前記ビン１１と送信先である会議参加者の端末ＰＣ１〜ＰＣｎを関連づけた状態で記憶している。また、記憶部３５は、途中退席者に送信すべきデータ（退席以降のデータ）を保持しておく記憶エリアも持っている。この記憶エリアに記憶されるデータは１枚分だけでなく、複数枚分のデータの記憶が可能である。
【００４０】
プリント部３６は、原稿などの読み取り画像や電子黒板２に記載されたデータ等を電子写真方式によりプリントするものである。
【００４１】
送受信部３７は、データを前記端末ＰＣ１〜ＰＣｎに送信する送信手段、及び各端末ＰＣ１〜ＰＣｎからデータを受信する受信手段として機能する。
【００４２】
次に、上記構成の電子会議システムにおけるプリンタ装置１の処理の流れを図４のフローチャートで説明する。なお、以下の説明ならびに図面では、ステップをＳと略記する。
【００４３】
まず、Ｓ００では、会議参加者を全て出席にする。即ち、全ての出席者についてのプリントを実行するように、ＣＰＵ３１は初期状態をセットする。
【００４４】
この後、Ｓ０１では、会議中の電子黒板２が改ページされた否かを電子黒板２からの信号に基づいて判断し、電子黒板２が改ページされると（Ｓ０１の判定がＹＥＳ）、Ｓ０２に進む。
【００４５】
Ｓ０２で、ＣＰＵ３１は、会議参加者１〜ｎについて、現時点で出席しているか（退席していないか）を判断する。この判断は、後述するＳ０６により設定された途中退席者の有無に基づいて行われる。
【００４６】
現時点で会議参加者１〜ｎが出席していれば（Ｓ０２の判定がＹＥＳ）、Ｓ０４では、１ページ目のデータを参加者数に応じた部数ｎずつプリントし、１ページがプリントされた用紙は、それぞれ会議出席者１〜ｎに割り当てられたビン１１に排出される。会議参加者は、ビン１１に排出されたプリント用紙から現在までの議事内容などのデータを確かめることができる。また、退席する参加者でも、それまでのデータ内容を確認することができる。
【００４７】
次いで、Ｓ０７では、会議が終了したか否かを判断し、会議が終了していれば（Ｓ０７の判定がＹＥＳ）、プリント動作が終了し、会議が終了していなければ（Ｓ０７の判定がＮＯ）、Ｓ０１に戻る。会議が終了したか否かは、電子黒板２からの信号に基づいて判断されるが、プリント装置１側に会議終了キー等を設けても良い。
【００４８】
こうして、退席者が存在しない限り、電子黒板２が改ページされるたびに、改ページ前のページが会議出席者に対応する各ビン１１にプリントされる。
【００４９】
一方、Ｓ０１において、電子黒板２が改ページされていないときは（Ｓ０１の判定がＮＯ）、Ｓ０３で、会議参加者１〜ｎの全員について、ソータ９のビン１１からプリント用紙が取り除かれたか否かを、検出センサ１４からの信号に基づいて判断（検出）する。
【００５０】
ビン１１からプリント用紙が取り除かれていれば（Ｓ０３の判定がＹＥＳ）、Ｓ０６で、そのビン１１が割り当てられている会議参加者がそのプリント用紙を取り出して退席したものと見なし、その者を途中退席者に設定して、Ｓ０７に進む。この途中退席者情報は、前述したようにＳ０２の判断で用いられる。
【００５１】
この状態で、電子黒板２が改ページされると（Ｓ０１の判定がＹＥＳ）、Ｓ０２で、会議参加者１〜ｎについて、現時点で出席しているか（退席していないか）否かが判断される。会議途中での退席者が存在しているときは、Ｓ０６で途中退席が設定されているから、Ｓ０２の判定がＮＯとなる。そして、Ｓ０５に進み、途中退席者以外の出席者のビン１１へ改ページ前のページデータをプリントしたのち、Ｓ０８で、前記途中退席者のパソコンＰＣに対してネットワークＮＷを経由して配信して、Ｓ０７に進む。なお、途中退席者への配信（Ｓ０８）は、改ページのたびに１ページずつ行っても良いが、配信すべきデータ（複数ページに亘る議事録）を記憶部３５に蓄積しておき、会議終了後に一括して配信する形態としても良い。
【００５２】
配信方法は、限定されないが、電子メールで配信すると、安い通信費で瞬時のデータ配信が可能であり、また、電話回線を利用してファクシミリ送信すれば、配信データをそのままファクシミリ装置で出力できる。
【００５３】
このように、途中退席者については、退席した後の議事などのデータについてのプリントは行われないことになるが、退席者は、前記未プリント部のデータが自分のパソコンＰＣに配信されるので、会議後に改めて資料要求する手間も省ける。その場合、退席者は、自分のパソコンＰＣに配信されたデータを保存したり、加工したり任意に処理することができる。
【００５４】
その後、会議が終了したときは（Ｓ０７の判定がＹＥＳ）、プリント動作を終了する。
【００５５】
図５は、この発明の他の実施形態を示す画像形成システムを示す構成図であり、図１と同一もしくは相当部位には、同一符号を付して説明を省略する。
【００５６】
図５において、プリンタ装置１には、複数のユーザにそれぞれ割り当てられたファクシミリ装置Ｆ（Ｆ１〜Ｆｎ）がネットワークＮＷに接続されている。
【００５７】
このプリンタ装置１における操作パネル２１は、図２に示したのと同一の各種キーが設けられている。また、プリンタ装置１の電気的構成は、検出センサ１４が不要である点を除いて図３に示したものと同じである。
【００５８】
この実施形態では、破棄キー２７によりプリント動作を破棄し、あるいは中断キー２８によりプリント動作を中断して、画像データをファクシミリ装置Ｆ（Ｆ１〜Ｆｎ）に転送する時には、プリンタ装置１に対してユーザ名を入力して転送すべきファクシミリ装置Ｆを特定する。このため、前記記憶部３５には、ユーザ名とファクシミリ装置Ｆとが対応付けられた状態で記憶されている。また、記憶部３５には、プリントすべき画像データやファクシミリ装置Ｆへ転送すべき画像データ等も記憶されている。
【００５９】
次に、図５に示した画像形成システムにおけるプリンタ装置１の処理の流れを図６のフローチャートで説明する。この実施形態は、複数ページのデータを１部プリントする場合のものである。
【００６０】
Ｓ３０では、現在プリントが未処理のまま存在するジョブを登録する処理を行う。この後、Ｓ３１では、現在、何らかのジョブがプリント中であるか否かを判断する。何らかのジョブがプリント中でなければ（Ｓ３１の判定がＮＯ）、Ｓ３２に進む。
【００６１】
Ｓ３２では、操作パネル２１上において、破棄キー２７が押されたか否かを判断する。破棄キー２７が押されていなければ（Ｓ３２の判定がＮＯ）、Ｓ３３で、登録されているジョブに関して、プリント開始の判断を行いプリントを開始したのち、Ｓ３４に進む。
【００６２】
破棄キー２７が押されていれば（Ｓ３２の判定がＹＥＳ）、Ｓ３８で、ユーザ名（ＩＤ）入力キー２６によるユーザ名の入力に基づいて指定された送信先に、データが送信される。従って、ユーザは、そのジョブについての全てのデータを自己のファクシミリ装置Ｆで入手することができる。
【００６３】
一方Ｓ３１において、現在何らかのジョブがプリント中であれば（Ｓ３１の判定がＹＥＳ）、Ｓ３５に進む。Ｓ３５では、操作パネル２１上において、中断キー２８が押されたか否かを判断し、中断キー２８が押されていれば（Ｓ３５の判定がＹＥＳ）、Ｓ３６でプリント動作の中断処理を行ったのち、Ｓ３７で、ユーザ名（ＩＤ）入力キー２６によるユーザ名の入力に基づいて指定された送信先に、以後のデータの送信を行う。従って、ユーザは、そのジョブについての中断キー操作後のデータを自己のファクシミリ装置Ｆで入手することができる。
【００６４】
中断キー２８が押されていなければ（Ｓ３５の判定がＮＯ）、Ｓ３７でプリント処理を継続し、Ｓ３９でプリント終了の判断処理を行い、そのジョブについてのプリントが終了していればプリントを終了したのち、Ｓ３４に進む。
【００６５】
Ｓ３４では、すべてのジョブについてプリントが終了したか否かを判断し、すべてのジョブのプリントが終了していなければ、（Ｓ３４の判定がＮＯ）、Ｓ３１に戻り、上述の処理を繰り返す。
【００６６】
すべてのジョブのプリントが終了していれば（Ｓ３４の判定がＹＥＳ）、処理を終了する。
【００６７】
このように、プリント前のプリント動作の破棄、あるいはプリント動作開始後のプリント動作中断の指示がなされた未プリント分のデータを当該ユーザは、自分のファクシミリ装置Ｆ（Ｆ１〜Ｆｎ）で受け取ることができる。なお、端末は、ファクシミリ装置Ｆ（Ｆ１〜Ｆｎ）に限られない。
【００６８】
次に、図５に示した画像形成システムにおいて、複数ページのデータを１ページずつ順にＮ部数プリントする場合のプリンタ装置１の処理の流れを図７のフローチャートで説明する。
【００６９】
Ｓ５０では、現在プリントが未処理のまま存在するジョブを登録する処理を行う。この後、Ｓ５１では、現在、何らかのジョブがプリント中であるか否かを判断する。何らかのジョブがプリント中でなければ（Ｓ５１の判定がＮＯ）、Ｓ５２に進む。
【００７０】
Ｓ５２では、操作パネル２１上において、破棄キー２７が押されたか否かを判断する。破棄キー２７が押されていなければ（Ｓ５２の判定がＮＯ）、Ｓ５３で、登録されているジョブに関して、プリント開始の判断を行い１ページずつ順にＮ部数のプリントを開始したのち、Ｓ５４に進む。
【００７１】
破棄キー２７が押されていれば（Ｓ５２の判定がＹＥＳ）、Ｓ５７で、ユーザ名（ＩＤ）入力キー２６によるユーザ名の入力に基づいて、送信先が指定されたのち、Ｓ５４に進む。
【００７２】
Ｓ５４では、全てのジョブが終了したか否かを判断し、終了していなければ（Ｓ５４の判定がＮＯ）、Ｓ５１に戻る。
【００７３】
一方Ｓ５１において、現在何らかのジョブがプリント中であれば（Ｓ５１の判定がＹＥＳ）、Ｓ５８に進む。Ｓ５８では、操作パネル２１上において、中断キー２８が押されたか否かを判断し、中断キー２８が押されていれば（Ｓ５８の判定がＹＥＳ）、Ｓ５９でプリント中断の処理を行ったのち、Ｓ５７に進んで、ユーザ名（ＩＤ）入力キー２６によるユーザ名の入力に基づいて、送信先の指定を行う。
【００７４】
中断キー２８が押されていなければ（Ｓ５８の判定がＮＯ）、Ｓ６０でプリント処理を継続し、Ｓ６１で、Ｓ５７にて指定された送信先指定があるか否かを判断する。送信先指定があれば（Ｓ６１の判定がＹＥＳ）、Ｓ６２で送信用データを記憶し、Ｓ６３に進む。
【００７５】
今、プリント前に、１人のユーザによって破棄キー２７が押されたとする。すると、Ｓ５７でそのユーザの送信先が指定される。ジョブは終了しておらずプリントも開始されていないから、Ｓ５１に戻ったときの判断がＮＯ、Ｓ５２の判断がＮＯになり、Ｓ５３でプリント開始判断処理が行われてプリントが開始される。すると、次にＳ５１に戻ったときの判断がＹＥＳとなり、Ｓ６０で、１ページから順にＮ−１部数のプリントが実施される。次に、Ｓ６１で、送信先の指定があるか否かを判断する。既に破棄キー２７が押されて送信先が指定されているから（Ｓ６１の判定がＹＥＳ）、Ｓ６２で、そのジョブのデータが記憶部３５に記憶される。
【００７６】
そして、Ｓ５４では、すべてのジョブのプリントが終了したか否かを判断し、すべてのジョブのプリントが終了していなければ、（Ｓ５４の判定がＮＯ）、Ｓ５１に戻り、上述の処理を繰り返す。
【００７７】
すべてのジョブのプリントが終了していれば（Ｓ５４の判定がＹＥＳ）、Ｓ５５で、送信用データがあるか否かを判断する。送信先データがあれば（Ｓ５５の判定がＹＥＳ）、Ｓ５６で、送信データを送信して終了する。送信先データがなければ（Ｓ５５の判定がＮＯ）、そのまま終了する。破棄キーが押された場合には、前述の通り、Ｓ６２で記憶部３５に送信用データが記憶されるから、Ｓ５６でこのデータが指定のファクシミリ装置Ｆに送信される。
【００７８】
一方、プリント中に中断キー２８が押された場合には、Ｓ５８の判断がＹＥＳとなる。すると、Ｓ５９で、プリント動作を一旦中断した後、Ｓ５７で、ユーザ名（ＩＤ）入力キー２６によるユーザ名の入力に基づいて、送信先の指定を行う。
【００７９】
全てのジョブは終了していないから、Ｓ５４の判断がＮＯとなり、またプリント動作が中断しているからＳ５１の判断もＮＯとなり、Ｓ５３においてプリントが再開される。この状態では、次のＳ５４の判断がＮＯ、Ｓ５１の判断がＹＥＳ、Ｓ５８の判断がＮＯとなり、Ｓ６０へと進む。Ｓ６０では、中断以後のページのプリントがＮ−１部数行われる。そして、Ｓ６１で、送信先の指定があるか否かを判断する。既に中断キー２８が押されて送信先が指定されているから（Ｓ６１の判定がＹＥＳ）、Ｓ６２で、中断キー２８が押されたのちのデータが記憶部３５に記憶される。
【００８０】
そして、Ｓ５４では、すべてのジョブのプリントが終了したか否かを判断し、すべてのジョブのプリントが終了していなければ、（Ｓ５４の判定がＮＯ）、Ｓ５１に戻り、上述の処理を繰り返す。
【００８１】
すべてのジョブのプリントが終了していれば（Ｓ５４の判定がＹＥＳ）、Ｓ５５で、送信用データがあるか否かを判断する。送信先データがあれば（Ｓ５５の判定がＹＥＳ）、Ｓ５６で、送信データを送信して終了する。送信先データがなければ（Ｓ５５の判定がＮＯ）、そのまま終了する。中断キー２８が押された場合には、前述の通り、Ｓ６２で記憶部３５に送信用データが記憶されるから、Ｓ５６でこのデータが指定のファクシミリ装置Ｆに送信される。
【００８２】
【発明の効果】
請求項１に係る発明によれば、複数ページからなるジョブを１ページ目から順次所定部数プリントしているときに、プリント動作が中断されると、中断されたプリント動作の未プリント分のデータが該当する端末に自動的に送信されるから、プリント動作の途中でプリント動作を中断して、プリント予定のデータを端末側で入手することができる。従って、このプリンタ装置を電子会議システム用の画像形成システムに用いた場合には、会議を途中退席した場合に、未プリント分のデータが途中退席者の端末に送信されるので、退席者は、退席時点以降のデータを、会議後に改めて会議主催者側に要求しなくても入手することができる、といった動作が可能となる。
【００８３】
請求項２に係る発明によれば、ジョブのプリント前にプリント動作の破棄が指示されると、破棄されたプリント動作の未プリント分が所定の端末に自動送信されるので、プリント動作予定のデータを端末側で受け取ることができる。さらに、ジョブのプリント中にプリント動作の中断が指示されると、中断されたプリント動作の未プリント分が所定の端末に送信され、プリント動作中断以降のデータを端末側で受け取ることができる。
【００８４】
請求項３に係る発明によれば、前記プリント動作の中断や破棄等の指示操作を操作パネル上から簡単に行うことができる。
【００８５】
請求項４に係る発明によれば、例えば電子会議システム用の画像形成システムに用いた場合には、電子会議参加者が自分に割り当てられている用紙排出トレイに逐次排出されるプリントされた用紙を、会議途中に取り出して持ち帰ることができる一方、電子会議途中で前記トレイからプリントされた用紙が取り出された場合には、そのトレイからのプリント用紙の取り出しが検知されることにより、そのトレイに対応する会議出席者が退席者として特定され、その退席者の端末への未プリント分の配信が自動的に行われる。このため、退席者は、退席時点以降のデータを、会議後に改めて会議主催者側に要求しなくても入手することができる、といった動作が可能となる。
【００８６】
請求項５に係る発明によれば、前記未プリント分のデータがパーソナルコンピュータに送信されるので、プリン動作の破棄や中断を指示した者や電子会議の退席者は、パーソナルコンピュータ上で未プリントのデータの保存や加工を行える。
【００８７】
請求項６に係る発明によれば、未プリント分のデータの送信を低費用で簡易に行える。
【００８８】
請求項７に係る発明によれば、送信された未プリント分のデータがファクシミリ装置でそのまま出力できる。
【図面の簡単な説明】
【図１】この発明の一実施形態に係るプリンタ装置を備えた電子会議システムを示す構成図である。
【図２】プリンタ装置の操作パネルの概要を示す平面図である。
【図３】同じくプリンタ装置の電気的構成を示すブロック図である。
【図４】図１の電子会議システムにおけるプリンタ装置の処理の流れを示すフローチャートである。
【図５】この発明の他の実施形態に係るプリンタ装置が適用された画像形成システムを示す構成図である。
【図６】図５の画像形成システムにおけるプリンタ装置の処理の流れを示すフローチャートである。
【図７】図５の画像形成システムにおけるプリンタ装置の他の処理の流れを示すフローチャートである。
【符号の説明】
１・・・・・・・・・・・・・プリンタ装置
１１・・・・・・・・・・・・用紙排出用トレイ（ビン）
１４・・・・・・・・・・・・検出手段
２１・・・・・・・・・・・・操作パネル
２７・・・・・・・・・・・・破棄指示手段
２８・・・・・・・・・・・・中断指示手段
３１・・・・・・・・・・・・ＣＰＵ（プリント中断手段）
３４・・・・・・・・・・・・入力手段
３７・・・・・・・・・・・・送信手段
Ｆ（Ｆ１〜Ｆｎ）・・・・・・端末（ファクシミリ装置）
ＰＣ（ＰＣ１〜ＰＣｎ）・・・・端末（パーソナルコンピュータ）
【図１】
0004042385.tif 000002
【図２】
0004042385.tif 000003
【図３】
0004042385.tif 000004
【図４】
0004042385.tif 000005
【図５】
0004042385.tif 000006
【図６】
0004042385.tif 000007
【図７】
0004042385.tif 000008